(57)【要約】【課題】  問題形式の音声情報をユーザが聞いて、その解答を操作により選択でき、その選択した解答が正解であるか不正解であるかをユーザが瞬時に認識でき、各問題に対する解説等の必要な情報を簡単な操作により聞くことができるコンテンツ及び再生装置を提供することを目的とする。【解決手段】  ユーザが領域を指定して再生を指示する再生指示手段と、再生指示手段により再生指示のあった領域の区画に対応する情報を記録媒体から読取る情報取得手段と、情報取得手段により読取られた情報を展開して再生可能な形式の情報として記憶する音声情報記憶手段と、音声情報記憶手段に記憶された情報を再生する再生処理手段と、再生処理手段により再生された区画の音声情報に基づいてユーザが解答を選択する解答選択手段と、解答選択手段による選択と、ヘッダ情報に含まれる解答情報とを比較した結果をユーザに通知する通知手段とを備える再生装置を提供する。【選択図】  図７
2006208979.tif 000002
【特許請求の範囲】
【請求項１】
ヘッダ情報と、複数の領域に分類された区画を複数有する音声情報とを有する記録媒体を再生するための再生装置において、
ユーザがいずれかの領域を指定して再生を指示するための再生指示手段と、
前記再生指示手段により再生指示のあった領域の区画に対応する情報を前記記録媒体から読取るための情報取得手段と、
前記情報取得手段により読取られた情報を展開して再生可能な形式の情報として記憶する音声情報記憶手段と、
前記音声情報記憶手段に記憶された情報を再生するための再生処理手段と、
前記再生処理手段により再生された区画の音声情報に基づいてユーザが解答を選択するための解答選択手段と、
前記解答選択手段による選択と、前記ヘッダ情報に含まれる解答情報とを比較した結果をユーザに通知するための通知手段と、
を有することを特徴とする再生装置。
【請求項２】
前記区画は、問題文の音声情報を含む少なくとも一つの第一の区画と、前記第一の区画に対応する解説文の音声情報を含む複数の第二の区画とからなり、ユーザは前記第一の区画の音声情報に基づいて前記解答選択手段により解答を選択することを特徴とする請求項１に記載の再生装置。
【請求項３】
前記解答選択手段による操作により、前記第二の区画が再生されることを特徴とする請求項２に記載の再生装置。
【請求項４】
前記通知手段は、再生装置に備えられたLEDの発光によりユーザに通知することを特徴とする請求項１から３のいずれかに記載の再生装置。
【請求項５】
前記通知手段は、再生装置の記憶手段に記憶されている通知音声情報により再生処理手段を介してユーザに通知することを特徴とする請求項１から３のいずれかに記載の再生装置。
【請求項６】
前記通知手段は、再生装置に備えられたLEDにより、及び再生装置の記憶手段に記憶されている通知音声情報により再生処理手段を介すことにより、ユーザに通知することを特徴とする請求項１から３のいずれかに記載の再生装置。
【請求項７】
前記解答選択手段は、ユーザが再生装置に対して所定の操作を行うことにより解答を選択することを特徴とする請求項１から６のいずれかに記載の再生装置。
【請求項８】
前記通知手段は、前記解答選択手段による解答選択後に、前記比較した結果をユーザに通知することを特徴とする請求項１から７のいずれかに記載の再生装置。
【請求項９】
前記情報取得手段は、再生装置に着脱可能な記録媒体からの情報を読取ることを特徴とする請求項１から８のいずれかに記載の再生装置。
【請求項１０】
前記情報取得手段は、再生装置内に備えられた記録媒体からの情報を読取ることを特徴とする請求項１から８のいずれかに記載の再生装置。
【請求項１１】
前記記録媒体は、不揮発性のメモリであることを特徴とする請求項１０に記載の再生装置。
【請求項１２】
ヘッダ情報と、複数の領域に分類された区画を有する音声情報とを記録した記録媒体において、
問題文の音声情報を含む少なくとも一つの第一の区画と、
前記第一の区画に対応する解説文の音声情報を含む複数の第二の区画と、
前記ヘッダ情報に含まれる、前記第一の区画に対する解答情報と、を有し、
ユーザは、再生された前記第一の区画の音声情報に基づいて解答選択手段により解答を選択し、前記解答選択手段による選択結果と前記解答情報とが比較された結果を通知され、前記解答選択手段による選択に応じて、前記第二の区画のいずれかが再生されることを特徴とする、記録媒体。
【発明の詳細な説明】
【技術分野】
【０００１】
この発明は、音声情報が記録された記録媒体と、該記録媒体に記録された音声情報を再生する再生装置に関する。
【背景技術】
【０００２】
近年、英会話を始めとする語学などを学習するために、学習用の音声情報が記録されたＣＤやカセットテープ、その他の記録媒体等が広く普及している。ユーザは、学習用の音声情報が記録されたこれらの教材と、同梱されている学習用テキストとを併用して、学習を行っている。
【０００３】
しかし、現代の日本人は、読解力に比べてリスニング能力が極端に低く、したがって教材を再生中に聞き取りにくいところがあるとついテキストに頼りがちになってしまう傾向がある。なるべくテキストに記載されている外国語の文字を見ることなく学習することが好ましい。また、日本語の解説を読むためにその都度テキストを見る作業は煩雑であり、学習時間のロスとなる。したがって、教材を学習するにあたって、テキストを用いなくとも同様な学習を行うことができればより効率的かつ効果的な学習が可能となる。従来のCDやカセットテープを用いた語学学習法では、テキストを用いないで同様な学習をすることは困難であった。
【０００４】
そこで、従来から、例えば図１に示すようなMP３形式のファイルを再生することができる再生装置１がある。MP３形式のファイルはヘッダファイルと音声ファイルとを有する。この再生装置１では、記録媒体に記録されているMP３形式のファイルを、図２に示すような、ヘッダファイルを利用してセグメントをトラック毎に分類した音声ファイル形式（３トラック方式）として再生することができる。このファイル形式を用いたコンテンツでは、例えば、セグメントごとに少なくとも一つの単語を含んでおり、トラックAにはネイティブスピードの音声情報（例えばセグメント１の「Hello」）、トラックBにはスロースピードの音声情報（例えばセグメント１の「HELLO」）、トラックCには日本語訳の音声情報（例えばセグメント１の「こんにちは」）を含んでおり、再生装置１のボタン操作により、同セグメントをトラック間で自由に切り替えて再生することができる。この再生装置１では、Aボタン６、Bボタン７、Cボタン８がそれぞれトラックA、トラックB、トラックCに対応しており、A,B,Cボタンのいずれかを押すことにより瞬時にトラックを切り替えて再生することができる。したがって、例えば、トラックAのあるセグメントを再生して、ユーザがネイティブスピードでは早すぎて聞き取りにくいと感じた場合には、テキストを見なくとも、再生中もしくは再生後にBボタン７を押すことによりそのセグメントのトラックBに切り替わり、同様の内容をスロースピードで聴くことができるため、聞き取れる可能性が高まる。また、同様にCボタン８を押すことにより同セグメントの日本語訳に切り替わる。また、トラックCには日本語訳だけではなく、日本語による解説の音声情報が含まれていてもよい。したがって、この従来の再生装置１を用いて３トラック方式の語学学習用コンテンツを再生することにより、テキストが無くても効果的かつ効率的に語学学習をすることができる。
【発明の開示】
【発明が解決しようとする課題】
【０００５】
上記の３トラック方式のファイル形式を用いたコンテンツを再生することができる再生装置１では、基本的にユーザは再生された音声情報を聞くのみでテキストを用いない学習を可能とするものであった。通常の学習方法がそうであるように、聞くのみではなく、出題された問題に対してユーザが熟考して解答を選択し、解答を確認し、その解説を読んだり聞いたりすることでより一層理解が深まり、効果的な学習が可能となる。従来の３トラック方式を用いたコンテンツおよび再生装置では、ユーザが解答を選択し、解答を確認し、解説を得るといった学習方法をテキストなしで行うことができなかった。
【０００６】
そこで本発明は上記の事情に鑑み、ヘッダファイルを利用してセグメントをトラック毎に分類したファイル形式を記録した記録媒体およびその記録媒体を再生するための再生装置において、さらに効果的かつ効率的な語学学習を行うため、テキストを用いなくとも再生された問題形式の音声情報をユーザが聞いて、その解答を操作により選択でき、その選択した解答が正解であるか不正解であるかをユーザが瞬時に認識でき、各問題に対する解説等の必要な情報を簡単な操作により聞くことができるコンテンツ及び再生装置を提供することを目的とする。
【課題を解決するための手段】
【０００７】
上記の課題を解決するため、本発明に係る再生装置は、ヘッダ情報と、複数の領域（トラック）に分類された区画（セグメント）を複数有する音声情報とを有する記録媒体を再生するための再生装置において、ユーザがいずれかの領域を指定して再生を指示するための再生指示手段と、前記再生指示手段により再生指示のあった領域の区画に対応する情報を前記記録媒体から読取るための情報取得手段と、前記情報取得手段により読取られた情報を展開して再生可能な形式の情報として記憶する音声情報記憶手段と、前記音声情報記憶手段に記憶された情報を再生するための再生処理手段と、前記再生処理手段により再生された区画の音声情報に基づいてユーザが解答を選択するための解答選択手段と、前記解答選択手段による選択と、前記ヘッダ情報に含まれる解答情報とを比較した結果をユーザに通知するための通知手段と、を有することを特徴とする。
【０００８】
上記の構成により、本発明に係る再生装置は、複数のトラックに分類されたセグメントを有するファイル形式を再生する際に、問題形式の音声情報が含まれているときに、ユーザがボタン操作により解答を選択することができ、再生装置がヘッダファイルに含まれる解答情報との照合を行って、ユーザに正解・不正解を知らせることができる。したがって、テキストがなくても簡単な操作で、問題形式のコンテンツを学習することができる。
【０００９】
また、前記区画は、問題文の音声情報を含む少なくとも一つの第一の区画と、前記第一の区画に対応する解説文の音声情報を含む複数の第二の区画とからなり、ユーザは前記第一の区画の音声情報に基づいて前記解答選択手段により解答を選択することを特徴とする。また、前記解答選択手段による操作により、前記第二の区画が再生されることを特徴とする。
【００１０】
また、前記通知手段は、再生装置に備えられたLEDの発光によりユーザに通知することを特徴とする。また、前記通知手段は、再生装置の記憶手段に記憶されている通知音声情報により再生処理手段を介してユーザに通知することを特徴とする。また、前記通知手段は、再生装置に備えられたLEDにより、及び再生装置の記憶手段に記憶されている通知音声情報により再生処理手段を介すことにより、ユーザに通知することを特徴とする。
【００１１】
また、前記解答選択手段は、ユーザが再生装置に対して所定の操作を行うことにより解答を選択することを特徴とする。また、前記通知手段は、前記解答選択手段による解答選択後に、前記比較した結果をユーザに通知することを特徴とする。
【００１２】
また、前記情報取得手段は、再生装置に着脱可能な記録媒体からの情報を読取ることを特徴とする。また、前記情報取得手段は、再生装置内に備えられた記録媒体からの情報を読取ることを特徴とし、さらに、前記記録媒体は、不揮発性のメモリであることを特徴とする。
【００１３】
また、本発明に係る記録媒体は、ヘッダ情報と、複数の領域に分類された区画を有する音声情報とを記録した記録媒体において、問題文の音声情報を含む少なくとも一つの第一の区画と、前記第一の区画に対応する解説文の音声情報を含む複数の第二の区画と、前記ヘッダ情報に含まれる、前記第一の区画に対する解答情報と、を有し、ユーザは、再生された前記第一の区画の音声情報に基づいて解答選択手段により解答を選択し、前記解答選択手段による選択結果と前記解答情報とが比較された結果を通知され、前記解答選択手段による選択に応じて、前記第二の区画のいずれかが再生されることを特徴とする。
【発明の効果】
【００１４】
従って本発明は、ヘッダファイルを利用してセグメントをトラック毎に分類したファイル形式を記録した記録媒体およびその記録媒体を再生するための再生装置において、さらに効果的かつ効率的な語学学習を行うため、テキストを用いなくとも再生された問題形式の音声情報をユーザが聞いて、その解答を操作により選択でき、その選択した解答が正解であるか不正解であるかをユーザが瞬時に認識でき、各問題に対する解説等の必要な情報を簡単な操作により聞くことができるコンテンツ及び再生装置を提供することができる。
【発明を実施するための最良の形態】
【００１５】
図１は、従来例の再生装置１と説明したが、この外観図は本発明の実施形態の再生装置においても同様であるので、本発明の実施形態による再生装置１として、以降、同じ図を用いて説明する。再生装置１は、表示部２、ヘッドホン端子３、及び各種操作ボタンを有する。操作ボタンは、電源ボタン４、モードボタン５、Aボタン６、Bボタン７、Cボタン８、録音ボタン９、FF（早送り）ボタン１０、REW（巻戻し）ボタン１１、メニューボタン１３を含む。表示部２は、LCD（液晶ディスプレイ）であり、種々の情報を表示するために用いられる。Aボタン６、Bボタン７、Cボタン８、及びモードボタン５は環状部材１２の各部分であり、Aボタン６とモードボタン５、Bボタン７とCボタン８がそれぞれ対向した十字方向にそれぞれ配置されている。また、電源ボタン４は、環状部材１２の中心分に配置されており、環状部材１２とは独立した部材として形成されている。
【００１６】
モードボタン５は、本実施形態における再生装置が備える様々な機能を選択するために用いられる。すなわち、MP３モードはMP３形式の音声情報を再生するモードであり、Ｌmモードは上述した図２の３トラック形式の音声ファイル（以降、Lmファイルという）を再生するモードであり、その他例えばFMラジオや録音等のモードがある。モードボタン５を押すたびにそれらのモードが所定の順番で切り替わる。また、Lmモードでは、従来のコンテンツを聞くためのヒアリング形式と、本発明の実施形態による選択問題と解説が含まれるコンテンツを聞くための問題形式の場合ではその処理が異なる。
【００１７】
Lmモードにおいて、A、B、Cボタン６，７，８は、再生中あるいは停止中にトラックを指定・再生するために用いられる。例えば、Aボタン６はトラックA、Bボタン７はトラックB、Cボタン８はトラックCというように割り当てられている。また、本発明の実施形態においては、Lmモードの問題形式の再生時に、例えば３択式の問題文が含まれるセグメントに対する解答をユーザが選択して意思決定する手段として、A、B、Cボタン６，７，８がそれぞれ割り当てられている。トラック選択や解答選択の操作を行う際、各ボタンが再生装置１の上面に配置されており、全て環状部材１２に配置されているため、ボタンを見なくても指一本で簡単に押下することができる。従って、ユーザは容易に且つ直感的に問題の解答を選択することができる。
【００１８】
図３は、本発明の実施形態の再生装置１における図１のS1S1断面図である。図中では、電源ボタン４、Bボタン７、Cボタン８がゴムシート２０上に配置されている。なお、図示されていないが、ゴムシート２０上には、環状部材１２（すなわち、モードボタン５、Aボタン６、Bボタン７、Cボタン８）が配置されているため、モードボタン５、Aボタン６もゴムシート２０上に配置されている。また、ゴムシート２０を介して、電源ボタン４の下側には基板１９上にスイッチ１４が、Bボタン７の下側には基板１９上にスイッチ１７が、Cボタン８の下側には基板１９上にスイッチ１８がそれぞれ配置されている。図示されていないが、モードボタン５、Aボタン６についても同様に基板１９上にスイッチが配置されている。ユーザが各ボタンを押下することにより、ゴムシート２０の各ボタンの下にあたる領域のみが変形し、そのゴムシート２０の変形により各ボタンの下側に位置する各スイッチが押されるように構成されている。
【００１９】
また、基板１９上には、スイッチ１７の図中左側にLED２１が、スイッチ１８の図中右側にLED２２がそれぞれ配置されている。図示されていないが、Aボタン６の下側のスイッチ付近にもLEDが配置されている。また、ゴムシート２０には、開口部２３及び開口部２４が形成されており、開口部２３はLED２１からの光を通し、開口部２４はLED２２からの光を通すことができるようになっている。同様にAボタン６の下側にもゴムシート２０に開口部が形成されており、LEDからの光を通すことができるようになっている。環状部材１２は一部或いは全部が、透光性の材料からなり、LEDからの光を装置外部へと通し、ユーザが目視できるようになっている。また、A，B，Cボタン６，７，８部分は透明であってもよいし、光を散乱させて環状部材１２のA，B，Cボタン６，７，８部分が光るように構成されていてもよい。また、A，B，Cボタン６，７，８部分がレンズ状になっていて光を拡散させてもよい。A，B，Cボタン６，７，８が光るように構成されているため、後に説明するように、ユーザの選択した解答が正解であるか不正解であるかをLEDの光で通知することにより、ユーザが瞬時に直感的に確認することができる。
【００２０】
図４に本発明の第一の実施形態における再生装置１の機能ブロック図を示す。再生装置１は、CPU３０、ROM３１、RAM３２、EEPROM（またはフラッシュメモリ等の不揮発メモリ）３３、挿入部３５、情報読取部３６、音声信号処理回路３７、ヘッドホン端子部３８、D/A変換部３９、LED部４０、表示部４１、操作部４２を有する。そのうち、ROM３１、RAM３２、EEPROM３３、情報読取部３６、音声信号処理回路３７、D/A変換部３９、表示部４１、操作部４２はそれぞれ、バス４３によりCPU３０と信号及びデータを送受可能となっており、CPU３０により制御されている。また、挿入部３５には、記録媒体３４が接続される。なお、図４に記載した各機能は、Lm形式ファイルを含むMP３形式ファイルを再生するための機能示す。したがって、FMラジオのチューナや、録音時の機能等の説明は省略されている。
【００２１】
ROM３１は、書き込み不可のマスクROM又は電気的に書き換え可能なフラッシュROMであり、種々の情報が記録されている。このROM３１には、例えば、記録媒体３４に記憶されている音声ファイルをRAM３２へ展開する際に必要なプログラムや、後述するような、ユーザが選択した解答が正解であるか不正解であるかを示す音声情報が記録されている。
【００２２】
RAM３２は、一時的に情報を記録するメモリである。このRAM３２は、再生可能な形式に展開されたセグメントの音声情報を記憶する。この展開された音声情報は、その後音声信号処理回路３７へと伝送される。
【００２３】
EEPROM３３は、書き換え可能な不揮発メモリであり、装置の電源をOFFにしても記録された情報を保持しておくことができる。EEPROM３３は、再生終了時にセグメントを指定する情報を記憶しておくことができ、その結果、次回電源をＯＮにしたときに続きのセグメントから再生するよう設定することもできる。
【００２４】
情報読取部３６は、挿入部３５にセットされた記録媒体３４に記録された情報を読取るための手段である。記録媒体３４が不揮発性メモリである場合、再生時には、そのメモリに記憶された情報が、ROM３１に記録されたプログラムに基づいて、RAM３２に音声展開される。また、記録媒体３４は、CD-ROMや磁気記録媒体でもよく、その場合、情報読取部３６は、それらの記録面に記録された情報を検出するピックアップ装置である。
【００２５】
音声信号処理回路３７は、RAM３２に音声展開されたデジタル音声信号を受け取ってから所定の処理を施してアナログ信号とし、また、ヘッドホン端子部３８はヘッドホン等の外部装置にそのアナログ信号を出力する機能を有する。
【００２６】
D/A変換部３９は、問題形式のLmファイルのヘッダファイルに含まれる正解情報と、ユーザの解答選択操作により押されたボタンからの信号とをCPU３０が比較演算した結果をバス４３を経由して受信する。その信号をアナログ信号へと変換し、アンプにより増幅してLED部４０へ送り、その信号に応じてA、B、C各ボタンに対応する各LEDを点灯または点滅等させる。LEDの光方は、一例として、ユーザが正解ボタンを押したとすればそのボタンが点滅し、不正解のボタンを押したとすれば正解のボタンが点灯する。正解・不正解に対するLEDの光方はどのような形式でもよく、ユーザが瞬時に認識できればよい。各ボタンが光ることにより、ユーザは瞬時に且つ直感的に、自分の解答が正解であるか不正解であるかを認識することができ、さらに、不正解である場合は正解がいずれかであるかを瞬時に確認することができる。
【００２７】
表示部４１は、再生装置１のLCD２に情報を表示させるための機能を有する。例えば、ヘッダファイルに含まれているそのLmファイルのファイル名や総セグメント数、再生セグメント番号等も表示することができる。操作部４２は、ユーザが操作する各種ボタン下のスイッチから信号をCPU３０に送る。
【００２８】
図５に本発明の第二の実施形態における再生装置１の機能ブロック図を示す。再生装置１は、CPU３０、ROM３１、RAM３２、EEPROM（またはフラッシュメモリ）３３、音声信号処理回路３７、ヘッドホン端子部３８、D/A変換部３９、LED部４０、表示部４１、操作部４２、I／F部４４を有する。そのうち、ROM３１、RAM３２、EEPROM３３、音声信号処理回路３７、D/A変換部３９、表示部４１、操作部４２、I／F部４４はそれぞれ、バス４３によりCPU３０と信号およびデータを送受可能となっており、CPU３０により制御されている。また、I／F部４４はPC等のインターネットに接続された端末に接続するためのインタフェースである。なお、図４同様、図５はLm形式ファイルを含むMP３形式ファイルを再生するための機能示す。したがって、FMラジオのチューナや、録音時の機能等の説明は省略されている。
【００２９】
ROM３１は、書き込み不可のマスクROM又は電気的に書き換え可能なフラッシュROMであり、種々の情報が記録されている。このROM３１には、例えば、EEPROM３３に記憶されている音声ファイルをRAM３２へ展開する際に必要なプログラムや、後述するような、ユーザが選択した解答が正解であるか不正解であるかを示す音声情報が記録されている。
【００３０】
EEPROM３３は、書き換え可能な不揮発メモリであり、装置の電源をOFFにしても記録された情報を保持しておくことができる。EEPROM３３は、記憶媒体としてLmファイルを記憶する領域を有している。また、EEPROM３３は、再生終了時にセグメントを指定する情報を記憶しておくことができ、その結果、次回電源をＯＮにしたときに続きのセグメントから再生するよう設定することもできる。
【００３１】
I／F部４４は、PCと再生装置１とを接続可能にするためのインタフェースとしての機能を有する。本実施形態では、インターネットから問題形式を含むコンテンツ（Lmファイル）をPCへダウンロードし、PCからI／F部４４を介してEEPROM３３へLmファイルを記憶する。EEPROM３３には複数のLmファイルを記憶することができる。
【００３２】
RAM３２、音声信号処理回路３７、ヘッドホン端子部３８、D/A変換部３９、LED部４０、表示部４１、操作部４２の機能は図４に示した再生装置１の実施形態と同様であるため説明は省略する。
【００３３】
図６に記憶媒体３４又はEEPROM３３に記憶されているLmファイルのデータ構造を模式的に示す。Lmファイルはヘッダファイルと音声ファイルとからなる。音声ファイルは、各ブロックが連続して配列した音声データである。セグメントはその含まれる音声情報に応じたデータ量を持っており、セグメントがｎ等分（どのセグメントにおいても分割数ｎは同じとする）された個々の単位がブロックであって、各ブロックは元のセグメントの１／ｎのデータ量を持つ。したがって、同セグメント内の各ブロックはそれぞれデータ量が等しい。また、各セグメントのデータ量と分割数ｎから、各ブロックのデータ量が求められる。各ブロックはそれぞれ、セグメント番号、トラック番号（例えばＡ，Ｂ，Ｃ）、ブロック番号（１からｎ）が割り当てられており、図のように、ヘッダファイルの直後がＳＧ（セグメント）１：ＴＲ（トラック）−Ａ：ＢＬ（ブロック）１、続いてＳＧ１：ＴＲ−Ｂ：ＢＬ１、ＳＧ１：ＴＲ−Ｃ：ＢＬ１と続き、その後次のブロック番号へと進み、ＳＧ１：ＴＲ−Ａ：ＢＬ２となる。そして、ＳＧ１：ＴＲ−Ｃ：ＢＬｎの次は、次のセグメント番号へと進み、ＳＧ２：ＴＲ−Ａ：ＢＬ１となる。各ブロックのスタートビットが、アドレス情報としてヘッダファイルで管理されている。各セグメントがRAM３２へ展開される際には、ヘッダファイルに記憶されている各ブロックに対するアドレス情報に基づいて、指定されたブロックが呼び出されてセグメントとして結合される。ヘッダファイルには、Lmファイルのファイル名、トラック数、セグメント数（ｍ）、各セグメントのデータ量、セグメントの分割数（ｎ）、問題セグメントの正解情報等が少なくとも記憶されている。
【００３４】
図７は本発明の実施形態による問題形式を含むLmファイルを説明するための模式図である。このLmファイルの模式図は、RAM３２に展開され後に音声情報として出力される際の形式を示している。セグメント１のトラックAには、問題１が含まれている。ここでは、３択選択問題形式の音声情報が含まれているものとするが、２択問題であってもよい。基本的には、セグメント１のトラックBまたはトラックCには音声情報は含まれていないが（セグメントは割り当てられているが、音声情報のデータ量が最小単位に設定されている）、例えば、トラックBにはスロースピードの問題であるとか、様々なバリエーションの音声情報を含むこともできる。セグメント２のトラックAには問題１の選択肢Aに対する解説が、トラックBには問題１の選択肢Bに対する解説が、トラックCには問題１の選択肢Cに対する解説がそれぞれ含まれている。セグメント３のトラックAには問題２が含まれる。したがって、奇数セグメントに問題が含まれ、偶数セグメントに解説が含まれることとなる。つまり、問題１から問題ｚまであるとすれば、セグメントｘは、セグメント２ｘ−１が問題文であり、セグメント２ｘが解説文であり、全部で２ｚ個（＝ｍ個）のセグメントがLmファイルに含まれることとなる。このLmファイルの構成により、ユーザは、問題を聞いて解答を選択し、その選択した解答に対する解説を容易に聞くことができる。
【００３５】
本発明の実施形態におけるLmファイルの再生手順を、図８のフローチャートを用いて説明する。ステップS１では、モードボタン５を押すことにより、MP３モード、Lmモード、FMラジオ等のモード選択を行う。Lmモードの選択を行うとステップS２に進む。ステップS２では、記録媒体３４やEEPROM３３に記憶されているコンテンツ（Lmファイル）から再生するLmファイルをユーザの操作により選択する。再生するLmファイルが指定されると、そのLｍファイルが通常のLmファイルであれば、ヒアリング形式の再生を行うためにステップS１１へ、本発明の実施形態による問題形式のLmファイルであればステップS２１へと進む。この場合、再生装置１が自動的に再生形式を指定してもよいし、ユーザの操作により行われてもよい。自動的に再生形式を指定する場合は、例えば、選択されたLｍファイルのヘッダファイルをCPU３０が識別し、問題形式であると認識すれば（ヘッダファイルに問題形式を識別する識別子を記憶させていてもよいし、正解情報があるか否かを判断してもよい）、ステップS２１へと進むようにし、問題形式であると認識されなければ、通常再生のヒアリング形式としてステップＳ１１へ進むようにしてもよい。
【００３６】
ステップS１１からステップS１５の再生手順は、通常のヒアリング形式の手順となるが、後に説明する問題形式の再生手順との比較のために説明しておく。ステップS１１では、Aボタン６、Bボタン７、Cボタン８のいずれかを押すことにより、図２に示されるようなLmファイルの再生形式の押されたボタンに対応するトラックが再生指定される。通常はセグメント１が再生指定されるが、前回の再生に基づいてセグメントを指定する情報がEEPROM３３に記憶されていればその指定されたセグメントが再生指定されることも可能である。また、FFボタン１０やREWボタン１１を操作して、再生したいセグメントを自由に再生指定することもできる。ユーザは、例えば表示部２に表示されたセグメント番号等を確認しながら再生するセグメントを選択することができる。再生設定後、ステップS１２へと進む。
【００３７】
ステップS１２では、再生指定のあったセグメントを記憶媒体３４またはEEPROM４５からRAM３２へ展開するために、CPU３０がヘッダファイルからアドレス情報を取得する。そして、ステップS１３に進み、取得されたアドレス情報をもとに、再生指定のあったセグメントの各ブロックを結合（展開）してRAM３２へ記憶する。必要なデータがRAM３２に全て格納されたら、ステップS１４へと進む。ステップS１４では、RAM３２に展開されたセグメントの音声データを、音声信号処理回路３７へと移動させ、音声デジタル信号をアナログ信号へと変換し、増幅処理を行い、ヘッドホン端子部３８を介して外部機器へと出力させる。再生指定のあったセグメントの再生が終わると、ステップS１５に進む。停止ボタン（電源ボタン４）が押されなければ（ステップＳ１５：YES）、ステップＳ１４において再生が行われたセグメントがｘ番目のセグメントであったとすると、ｘ＋１番目のセグメントを再生指定してステップＳ１２に戻る。ステップS１５において、停止ボタン（電源ボタン４）が押されたら、電源OFFとなる。このとき、ｘ＋１番目のセグメントを指定する情報をEEPROM３３に格納しておくことができる。それにより、次回電源を入れたときに続きから聞くことが可能となる。ステップS１２では、ヘッダファイルに含まれるｘ＋１番目のセグメントに対するアドレス情報を参照する。その後ステップS１３へと進み同様な処理が行われる。なお、再生中に他のトラックを指定するボタンが押されたら（例えば、Ａトラックのｘセグメントを再生中にＢボタンまたはＣボタン）、ステップＳ１５においてYESの判定がされる。そして、ステップＳ１２において、押されたボタンに対応するトラックのｘセグメントのアドレス情報がヘッダファイルから取得される。その後同様に再生処理が行われる。
【００３８】
Lmファイルが問題形式のセグメントを含む場合、ステップS２１へと進む。ステップS２１では、図７に示したように通常は問題文の音声情報がトラックAに入っているので、再生するためにAボタン６を押す。なお、コンテンツによっては、問題文に対しても、ネイティブ、スロースピード等のバリエーションが含まれる可能性もあるため、Aボタン６に限定されず、Bボタン７、Cボタン８により再生指定を行ってもよい。通常はセグメント１から再生されるが、上述したヒアリング形式と同様に、前回の電源ＯＦＦ前の再生に基づいてセグメントを指定する情報がEEPROM３３に記憶されていればその指定されたセグメントが再生指定されることも可能である。また、FFボタン１０やREWボタン１１を操作して、再生したいセグメントを自由に再生指定することもできる。ユーザは、例えば表示部２に表示されたセグメント番号等を確認しながら再生セグメントを選択することができる。再生設定後、ステップS２２へと進む。
【００３９】
ステップS２２では、再生指定のあったセグメントを記憶媒体３４またはEEPROM４５からRAM３２へ展開するために、CPU３０がヘッダファイルからアドレス情報を取得する。そして、ステップS２３に進み、取得されたアドレス情報をもとに、再生指定のあったセグメントの各ブロックを結合（展開）してRAM３２へ記憶する。必要なデータがRAM３２に全て格納されたら、ステップS２４へと進む。ステップS２４では、RAM３２に展開されたセグメントの音声データを、音声信号処理回路３７へと移動させ、音声デジタル信号をアナログ信号へと変換し、増幅処理を行い、ヘッドホン端子部３８を介して外部機器へと出力させる。再生指示のあったセグメントの再生が終わると、再生を停止して、ステップS２５に進む。
【００４０】
ステップS２５では、ステップS２４で再生されたセグメントの音声情報に基づいてユーザがA、B、Cボタン６，７，８のいずれかを押すことによって解答を選択する。次にステップS２６では、押されたボタンに対応するトラックのセグメント（すなわち、再生された問題文を含むセグメントが２ｘ−１番目であれば２ｘ番目のセグメント）を記憶媒体３４またはEEPROM４５からRAM３２へ展開するために、CPU３０がヘッダファイルからアドレス情報を取得する。そして、ステップS２７では、取得されたアドレス情報をもとに、押されたボタンに対応するトラックのセグメントの各ブロックを結合（展開）してRAM３２へ記憶する。必要なデータがRAM３２に全て格納されたら、ステップS２８へと進む。ステップS２８では、RAM３２に展開されたセグメントを、音声信号処理回路３７でアナログ信号へと変換して、また、増幅処理も行い、ヘッドホン端子部３８を介して外部機器へと出力される。すなわち、２ｘ−１番目のセグメントに含まれる問題に対して、ユーザが解答を選択したものの解説の音声情報が出力される。なお、ステップS２５において所定の時間ユーザによる解答選択操作が無い場合は、自動的に２ｘ番目のセグメントが再生されるため、例えばＡトラックが指定されて、S２６からS２８の処理が行われる。
【００４１】
また、ステップS２７からステップS２８の処理と並行して、ステップS２９からステップＳ３１の処理が行われる。ステップＳ２９では、ステップS２６でCPU３３が取得したアドレス情報（すなわち、Ａ，Ｂ，Ｃトラックのいずれであるかの情報）と、ヘッダファイルに含まれているその問題文に対する正解情報（選択肢Ａ，Ｂ，Ｃのいずれが正解か）との照合がCPU３０において行われる。ステップＳ２５において押されたボタンが正解情報と等しければステップS３０へ、異なっていればステップS３１へと進む。ステップS３０では、LED部４０を作動させて正解であるＡ，Ｂ，Ｃいずれかのボタン下にあるLEDを点滅させたり、ROM３１にあらかじめ記憶されている正解音を音声信号処理回路３７を介して出力させたりすることができる。ステップS３１では、LED部４０を作動させて正解であるＡ，Ｂ，Ｃいずれかのボタン下にあるLEDを点灯させたり、ROM３１にあらかじめ記憶されている不正解音を音声信号処理回路３７を介して出力させたりすることができる。なお、これらのLEDや音声を用いて正解・不正解をユーザに通知する場合、どのボタンをどのようなタイミングでどのように光らせるのかといった様々な方法が考えられるが、ユーザが瞬時に正解・不正解を認識できるものであればよい。これらの構成によって、ユーザは解答を操作により容易に選択でき、その選択した解答が正解であるか不正解であるかを瞬時に認識でき、その問題に対する解説をすぐに聞くことができる。
【００４２】
ステップS２８及び、ステップS３０又はステップS３１の処理が終わるとステップS３２へと進む。ステップS３２では、停止ボタン（電源ボタン４）が押されなければ（ステップＳ３２：YES）、ステップS２１へと戻る。このとき、前回再生が行われたセグメント（つまり、解説セグメント）が２ｘ番目のセグメントであるとすると、２ｘ＋１番目のセグメントが再生セグメントとして指定される。そして押された再生ボタン（通常はAボタン６であるが、上述のようにBボタン７、Cボタン８でもよい）に基づいて、ステップS２２へと進む。ステップS２２では、再生指定セグメントが２ｘ＋１番目のセグメントとして処理され、その後同様な処理が行われる。ステップS３２において、停止ボタン（電源ボタン４）が押されたらあるいは一定時間経過したら（ステップＳ３２：NO）、電源OFFとなる。このとき、２ｘ＋１番目のセグメントが指定されているという情報をEEPROM３３に格納しておくことができる。格納することにより、次回電源を入れたときに、続きから聞くことが可能となる。
【００４３】
従って本発明は、ヘッダファイルを利用してセグメントをトラック毎に分類したファイル形式を記録した記録媒体およびその記録媒体を再生するための再生装置において、さらに効果的かつ効率的な語学学習を行うため、テキストを用いなくとも再生された問題形式の音声情報をユーザが聞いて、その解答を操作により選択でき、その選択した解答が正解であるか不正解であるかをユーザが瞬時に認識でき、各問題に対する解説等の必要な情報を簡単な操作により聞くことができるコンテンツ及び再生装置を提供することができる。
【図面の簡単な説明】
【００４４】
【図１】従来例および本発明の実施形態における再生装置の外観図である。
【図２】従来のLmファイルの模式図である。
【図３】図１の再生装置のS1S1断面を示す図である。
【図４】本発明の実施形態における再生装置の機能ブロック図である。
【図５】本発明の他の実施形態における再生装置の機能ブロック図である。
【図６】Lmファイルのデータ構造を示す図である。
【図７】本発明の実施形態におけるLmファイルの模式図である
【図８】本発明の実施形態における再生処理を示すフローチャートである。
【符号の説明】
【００４５】
１  再生装置
２  LCD
５  モードボタン
６  Aボタン
７  Bボタン
８  Cボタン
２０  ゴムシート
２１，２２  LED
２３，２４  開口部
３０  CPU
３１  ROM
３２  RAM
３３  EEPROM
３４  記録媒体
【図１】
2006208979.tif 000003
【図２】
2006208979.tif 000004
【図３】
2006208979.tif 000005
【図４】
2006208979.tif 000006
【図５】
2006208979.tif 000007
【図６】
2006208979.tif 000008
【図７】
2006208979.tif 000009
【図８】
2006208979.tif 000010